(57)【要約】【課題】線材に発生した付着物を除去できる付着物除去装置及び付着物除去方法を提供する。【解決手段】線材を巻き取る巻取ロールと、巻取ロールより上流側に回転可能に設けられ、線材が回胴部と当接するように走行することで回転する回転体と、巻取ロールより上流側に回転体が回転することで回転するように設けられ、線材の表面に付着した付着物を除去する第１の除去ロールと、巻取ロールより上流側に回転体が回転することで回転するように設けられ、線材の裏面に付着した付着物を除去する第２の除去ロールと、を備える。【選択図】図１
2014065073.tif 000002
【特許請求の範囲】
【請求項１】
線材を巻き取る巻取ロールと、
前記巻取ロールより上流側に回転可能に設けられ、前記線材が回胴部と当接するように走行することで回転する回転体と、
前記巻取ロールより上流側に前記回転体が回転することで回転するように設けられ、前記線材の表面に付着した付着物を除去する第１の除去ロールと、
前記巻取ロールより上流側に前記回転体が回転することで回転するように設けられ、前記線材の裏面に付着した付着物を除去する第２の除去ロールと、を備える
ことを特徴とする付着物除去装置。
【請求項２】
前記回転体に取付けられ、前記回転体が回転することで回転される第１のギアと、
前記第１の除去ロールに取付けられ、前記第１のギアが回転されることで回転し、前記第１の除去ロールを回転させる第２のギアと、
前記第２の除去ロールに取付けられ、前記第１のギアが回転されることで回転し、前記第２の除去ロールを回転させる第３のギアと、を備える
ことを特徴とする請求項１に記載の付着物除去装置。
【請求項３】
前記巻取ロールによって前記線材の巻取速度を調整し、前記第１の除去ロール及び前記第２の除去ロールの回転速度をそれぞれ調整することで、前記付着物の除去量を調整する
ことを特徴とする請求項１又は２に記載の付着物除去装置。
【請求項４】
前記第１の除去ロール及び前記第２の除去ロールがそれぞれ、前記線材の走行方向と逆方向に回転するように構成されている
ことを特徴とする請求項１ないし３のいずれかに記載の付着物除去装置。
【請求項５】
線材を巻き取る巻取ロールより上流側に設けられた回転体を、前記線材を回胴部に当接するように走行させることで回転させ、前記巻取ロールより上流側に前記回転体を回転させることで回転するように設けられた第１除去ロールを回転させて、前記線材の表面に付着した付着物を除去し、前記巻取ロールより上流側に前記回転体を回転させることで回転するように設けられた第２除去ロールを回転させて、前記線材の裏面に付着した付着物を除去することで、前記線材に付着した付着物を除去する工程と、
前記線材を前記巻取ロールにより巻き取る工程と、を有する
ことを特徴とする付着物除去方法。
【発明の詳細な説明】
【技術分野】
【０００１】
本発明は、線材に付着した付着物を除去する付着物除去装置及び付着物除去方法に関する。
【背景技術】
【０００２】
例えば銅又は銅合金からなる伸線された線材の表面には、例えば伸線工程や圧延工程等において発生した金属粉（銅粉）や、同工程で使用される潤滑油等の付着物が付着していることがある。線材の表面に付着物が付着したまま、例えば線材の表面に絶縁塗料が塗布された場合、絶縁性能が低下することがある。また、線材の表面に付着物が付着したまま、後続の、例えばめっき工程等が行われると、めっき不良が発生することがある。
【０００３】
そこで、例えば、線材に溶融ガラスを被覆させ、これを冷却して凝固させてガラス層を形成し、線材に発生した付着物をガラス層に含ませた後、付着物を含むガラス層を粉砕して除去することで、線材に付着した付着物を除去する技術が開示されている（例えば特許文献１参照）。
【０００４】
また、例えば、帯状繊維シートの供給ロールを走行する線材の上下にそれぞれ配置し、帯状繊維シートを線材の上下からそれぞれ線材の走行方向に対して接触させて巻掛けた状態で、線材を走行させつつ、帯状繊維シートを巻き取ることで、線材に付着した付着物を除去する技術が開示されている（例えば特許文献２参照）。
【先行技術文献】
【特許文献】
【０００５】
【特許文献１】特開平０９−２３９４３９号公報
【特許文献２】特開平０９−１３６１１２号公報
【発明の概要】
【発明が解決しようとする課題】
【０００６】
しかしながら、特許文献１に記載の方法では、線材に付着した付着物を除去することはできるものの、溶融ガラスを線材に被覆する装置や、線材に被覆した溶融ガラスを冷却する装置、さらにガラス層を粉砕する装置等が必要となるため、装置が大型化する場合があった。
【０００７】
また、特許文献２に記載の方法では、帯状繊維シートの供給ロールを駆動源を駆動させることで巻取速度等を調整して帯状繊維シートを巻き取っていた。そのため、線材に付着した付着物を除去するための電力エネルギが増大することがあった。
【０００８】
そこで、本発明は、上記課題を解決し、線材に発生した付着物を除去できる付着物除去装置及び付着物除去方法を提供することを目的とする。
【課題を解決するための手段】
【０００９】
上記課題を解決するために、本発明は次のように構成されている。
本発明の第１の態様によれば、線材を巻き取る巻取ロールと、前記巻取ロールより上流側に回転可能に設けられ、前記線材が回胴部と当接するように走行することで回転する回転体と、前記巻取ロールより上流側に前記回転体が回転することで回転するように設けられ、前記線材の表面に付着した付着物を除去する第１の除去ロールと、前記巻取ロールより上流側に前記回転体が回転することで回転するように設けられ、前記線材の裏面に付着した付着物を除去する第２の除去ロールと、を備える付着物除去装置が提供される。
【００１０】
本発明の第２の態様によれば、前記回転体に取付けられ、前記回転体が回転することで回転される第１のギアと、前記第１の除去ロールに取付けられ、前記第１のギアが回転されることで回転し、前記第１の除去ロールを回転させる第２のギアと、前記第２の除去ロールに取付けられ、前記第１のギアが回転されることで回転し、前記第２の除去ロールを回転させる第３のギアと、を備える第１の態様に記載の付着物除去装置が提供される。
【００１１】
本発明の第３の態様によれば、前記巻取ロールによって前記線材の巻取速度を調整し、前記第１の除去ロール及び前記第２の除去ロールの回転速度をそれぞれ調整することで、前記付着物の除去量を調整する第１又は第２の態様に記載の付着物除去装置が提供される。
【００１２】
本発明の第４の態様によれば、前記第１の除去ロール及び前記第２の除去ロールがそれぞれ、前記線材の走行方向と逆方向に回転するように構成されている第１ないし第３の態様のいずれかに記載の付着物除去装置が提供される。
【００１３】
本発明の第５の態様によれば、線材を巻き取る巻取ロールより上流側に設けられた回転体を、前記線材を回胴部に当接するように走行させることで回転させ、前記巻取ロールより上流側に前記回転体を回転させることで回転するように設けられた第１除去ロールを回転させて、前記線材の表面に付着した付着物を除去し、前記巻取ロールより上流側に前記回転体を回転させることで回転するように設けられた第２除去ロールを回転させて、前記線材の裏面に付着した付着物を除去することで、前記線材に付着した付着物を除去する工程と、前記線材を前記巻取ロールにより巻き取る工程と、を有する付着物除去方法が提供される。
【発明の効果】
【００１４】
本発明によれば、線材に発生した付着物を除去できる付着物除去装置及び付着物除去方法を得ることができる。
【図面の簡単な説明】
【００１５】
【図１】本発明の一実施形態にかかる付着物除去装置を一方の側面から見た概略構成図である。
【図２】本発明の一実施形態にかかる付着物除去装置の他方の側面から見た概略構成図である。
【図３】本発明の一実施形態にかかる付着物除去装置の上面から見た概略構成図である。
【発明を実施するための形態】
【００１６】
（１）付着物除去装置の構成
まず、本実施形態に係る付着物除去装置１の構成について、図１〜図３を参照しながら説明する。
【００１７】
（巻取ロール）
図１〜図３に示すように、本実施形態に係る付着物除去装置１の末端には、巻取ロール２が設けられている。巻取ロール２は、例えば供給ロールにより供給され、所定の速度で付着物除去装置１を走行する線材３を巻き取るように構成されている。巻取ロール２は、巻取速度（回転速度）を調整することによって、線材３の走行速度を調整するように構成されている。なお、線材３としては、例えば伸線装置にて伸線され、圧延された例えば銅又は銅合金からなる裸線等を用いることができる。
【００１８】
（回転体）
巻取ロール２より上流側には、回転体４が回転自在に設けられている。回転体４は、付着物除去装置１を走行する線材３に回胴部が当接するように設けられている。回転体４は、線材３の走行方向と同じ方向（紙面上で時計回り）に回転するように構成されている。回転体４としては、例えばプーリやロールを用いることができる。
【００１９】
線材３が回転体４の回胴部に当接するように走行すると、回転体４と線材３との接触箇所に摩擦力（すべり摩擦力）が発生する。回転体４は、この摩擦力によって回転されるように構成されている。すなわち、回転体４は、線材３の走行速度（すなわち巻取ロール２の巻取速度）が早いと、回転体４の回転速度が速くなるように構成されている。
【００２０】
また、回転体４には、シャフト５を介して第１のギア６が取り付けられている。第１のギア６は、回転体４が回転することで回転されるように構成されている。すなわち、第１のギア６は、回転体４が回転すると、回転体４の回転動力が第１のギア６に伝達されて、回転体４と同じ方向（紙面上で時計回り）に回転されるように構成されている。なお、シャフト５は、シャフト５の回転軸が回転体４の回転軸と一致するように設けられている。
【００２１】
また、回転体４は、後述の第１の除去ロール７及び第２の除去ロール１２に線材３をガイドするガイドロールとしても機能する。
【００２２】
（第１の除去ロール）
巻取ロール２より上流側、好ましくは回転体４と巻取ロール２との間には、主に線材３の表面（上面）に付着した付着物を除去する第１の除去ロール７が回転自在に設けられている。第１の除去ロール７の少なくとも線材３が接触する箇所には、例えばフェルトや不織布等の付着物除去部材８が設けられている。すなわち、線材３の表面が付着物除去部材８と接触すると、線材３の表面に付着した例えば金属粉や潤滑油等の付着物が、第１の除去ロール７に設けられた付着物除去部材８に吸着されて除去される。なお、付着物除去部材８は、例えばフェルト押さえ治具１６（図３参照）等により、第１の除去ロール７に固定されている。
【００２３】
第１の除去ロール７には、シャフト９を介して第２のギア１０（図２参照）が取り付けられている。第２のギア１０は、後述の補助ギア１１と噛合するように構成されているとともに、補助ギア１１と噛合するように配設されている。第２のギア１０は、補助ギア１１が回転することで回転されるように構成されている。すなわち、第２のギア１０は、補助ギア１１が回転すると、補助ギア１１の回転動力が第２のギア１０に伝達されて、補助ギア１１とは逆方向に回転するように構成されている。なお、本実施形態では、後述するように補助ギア１１が紙面上で反時計回りに回転するので、第２のギア１０は紙面上で時計回りに回転する。そして、第２のギア１０が回転すると、第２のギア１０の回転動力が第１の除去ロール７に伝達され、第１の除去ロール７が第２のギア１０と同じ方向（紙面上で時計回り）に回転されるように構成されている。すなわち、第１の除去ロール７は、線材３の走行方向とは逆方向に回転するように構成されている。なお、シャフト９は、シャフト９の回転軸が第１の除去ロール７の回転軸と一致するように設けられている。
【００２４】
第１のギア６と第２のギア１０との間には、補助ギア１１が設けられている。補助ギア１１は、第１のギア６及び第２のギア１０にそれぞれ噛合するように構成されているとともに、第１のギア６及び第２のギア１０にそれぞれ噛合するように配設されている。補助ギア１１は、第１のギア６が回転することで回転されるように構成されている。すなわち、補助ギア１１は、第１のギア６が回転すると、第１のギア６の回転動力が補助ギア１１に伝達されて、第１のギア６と逆方向（紙面上で反時計回り）に回転するように構成されている。そして、補助ギア１１が回転すると、補助ギア１１の回転動力が第２のギア１０に伝達され、第２のギア１０が回転するように構成されている。すなわち、第１の除去ロール７は、回転体４が回転することで、第１のギア６、補助ギア１１及び第２のギア１０を介して回転されるように構成されている。
【００２５】
（第２の除去ロール）
巻取ロール２より上流側、好ましくは回転体４と巻取ロール２との間には、主に線材３の裏面（下面）に付着した付着物を除去する第２の除去ロール１２が回転自在に設けられている。第２の除去ロール１２は、第１の除去ロール７と対向するように設けられている。また、第２の除去ロール１２の少なくとも線材３が接触する箇所には、例えばフェルトや不織布等の付着物除去部材１３が設けられている。すなわち、線材３の裏面が付着物除去部材１３と接触すると、線材３の裏面に付着した付着物が、第２の除去ロール１２に設けられた付着物除去部材１３に吸着されて除去される。なお、付着物除去部材１３は、例えばフェルト押さえ治具等により、第２の除去ロール１２に固定されている。
【００２６】
第２の除去ロール１２には、シャフト１４を介して第３のギア１５（図２参照）が取り付けられている。第３のギア１５は、第１のギア６と噛合するように構成されているとともに、第１のギア６と噛合するように配設されている。第３のギア１５は、第１のギア６が回転することで回転されるように構成されている。すなわち、第３のギア１５は、第１のギア６が回転すると、第１のギア６の回転動力が第３のギア１５に伝達されて、第１のギア６と逆方向（紙面上で反時計回り）に回転するように構成されている。そして、第３のギア１５が回転すると、第３のギア１５の回転動力が第２の除去ロール１２に伝達され、第２の除去ロール１２が第３のギア１５と同じ方向（紙面上で反時計回り）に回転されるように構成されている。すなわち、第２の除去ロール１２は、第１のギア６及び第３のギア１５を介して、回転体４が回転することで回転されるように構成されている。また、第２の除去ロール１２は、線材３の走行方向とは逆方向に回転するように構成されている。なお、シャフト１４は、シャフト１４の回転軸が第２の除去ロール１２の回転軸と一致するように設けられている。
【００２７】
また、本実施形態に係る付着物除去装置１は、第１の除去ロール７及び第２の除去ロール１２の回転速度を調整することで、線材３から除去する付着物の量を調整することができる。すなわち、第１の除去ロール７及び第２の除去ロール１２の回転速度が速いと、線材３から除去される付着物の量が少なくなり、第１の除去ロール７及び第２の除去ロール１２の回転速度が遅いと、線材３から除去される付着物の量が多くなる。
【００２８】
なお、第１の除去ロール７及び第２の除去ロール１２の回転速度の調整は、巻取ロール２の巻取速度を調整することで行うことができる。すなわち、例えば、巻取ロール２の巻取速度を速くすると、回転体４の回転速度が速くなる。従って、第１のギア６の回転速度が速くなるため、第２のギア１０、補助ギア１１及び第３のギア１５の回転速度も速くなり、その結果、第１の除去ロール７及び第２の除去ロール１２の回転速度も速くなる。このように、巻取ロール２の巻取速度を調整することで、第１の除去ロール７及び第２の除去ロール１２の回転速度を調整することができる。
【００２９】
（２）付着物除去方法
続いて、上述の付着物除去装置１を用いて、線材３に付着した例えば金属粉（銅粉）や潤滑油等の付着物を除去する方法の一実施形態について説明する。
【００３０】
（付着物除去工程）
まず、例えば供給ロール等から供給されて付着物除去装置１内を走行する線材３を回転体４の回胴部に当接させて、回転体４を回転させ、第１のギア６、第２のギア１０、第３のギア１５及び補助ギア１１を介して第１の除去ロール７及び第２の除去ロール１２をそれぞれ回転させる。そして、付着物除去部材８が設けられた第１の除去ロール７と、付着物除去部材１３が設けられた第２の除去ロール１２との間を線材３を通過させ、線材３に付着した付着物を除去する。すなわち、線材３を第１の除去ロール７と第２の除去ロール１２とで挿むように通過させて、第１の除去ロール７で主に線材３の表面に付着した付着物を除去し、第２の除去ロール１２で主に線材３の裏面に付着した付着物を除去する。
【００３１】
（巻取工程）
第１の除去ロール７と第２の除去ロール１２との間を通過して、付着物が除去された線材３を巻取ロール２で順次巻き取る。
【００３２】
（３）本実施形態にかかる効果
本実施形態によれば、以下に示す１つまたは複数の効果を奏する。
【００３３】
（ａ）本実施形態によれば、巻取ロール２より上流側には、線材３の表面に付着した付着物を除去する第１の除去ロール７が回転可能に設けられている。また、巻取ロール２より上流側には、線材３の裏面に付着した付着物を除去する第２の除去ロール１２が回転可能に設けられている。これにより、装置が大型化することなく、線材３の表裏面に付着した付着物を不足なく除去することができる。
【００３４】
（ｂ）本実施形態によれば、巻取ロール２より上流側に回転可能に設けられ、線材３が回胴部に当接するように走行することで回転する回転体４が設けられている。また、回転体４には、回転体４が回転することで回転される第１のギア６が取り付けられている。また、第１の除去ロール７には、第１のギア６が回転されることで回転し、第１の除去ロール７を回転させる第２のギア１０が取り付けられている。また、第２の除去ロール１２には、第１のギア６が回転されることで回転し、第２の除去ロール１２を回転させる第３のギア１５が取り付けられている。これにより、線材３が、回転体４の回胴部と当接するように走行することで、線材３と回転体４との間の接触箇所に発生する摩擦力で、回転体４、第１の除去ロール７及び第２の除去ロール１２を回転させることができる。従って、電力エネルギを低減させることができる。
【００３５】
（ｃ）本実施形態によれば、巻取ロール２によって線材３の巻取速度を調整し、第１の除去ロール７及び第２の除去ロール１２の回転速度をそれぞれ調整することで、付着物の除去量を調整している。これにより、線材３から付着物を安定して除去できる。
【００３６】
（ｄ）本実施形態によれば、第１の除去ロール７及び第２の除去ロール１２がそれぞれ、線材３の走行方向と逆方向に回転するように構成されている。また、第１の除去ロール７と第２の除去ロール１２とを対向して配設している。そして、線材３が第１の除去ロール７と第２の除去ロール１２とに挿まれて通過するように構成されている。これにより、線材３に付着した付着物をより安定して除去できる。
【００３７】
（４）本発明の他の実施形態
以上、本発明の一実施形態を具体的に説明したが、本発明は上述の実施形態に限定されるものではなく、その要旨を逸脱しない範囲で適宜変更可能である。
【００３８】
上述の実施形態では、第１の除去ロール７と第２の除去ロール１２とを対向して配設したが、これに限定されるものではない。すなわち、第１の除去ロール７は主に線材３の表面の付着物を除去し、第２の除去ロール１２は主に線材３の裏面の付着物を除去するように配設されていればよい。
【００３９】
上述の実施形態では、第１の除去ロール７及び第２の除去ロール１２がそれぞれ、線材３の走行方向と逆方向に回転するように構成したが、これに限定されるものではない。すなわち、例えば、回転体４を線材３の走行方向とは逆方向に回転させて、第１の除去ロール７及び第２の除去ロール１２を、線材３の走行方向と同じ方向に回転させるように構成してもよい。また、例えば、回転体４を線材３の走行方向に回転させ、回転体４に取付けられる第１のギアと第２の除去ロール１２に取付けられる第３のギアとの間に補助ギア１１を設けて、第１の除去ロール７及び第２の除去ロール１２をそれぞれ線材３の走行方向と同じ方向に回転させるように構成してもよい。
【符号の説明】
【００４０】
１    付着物除去装置
２    巻取ロール
３    線材
４    回転体
７    第１の除去ロール
１２  第２の除去ロール
【図１】
2014065073.tif 000003
【図２】
2014065073.tif 000004
【図３】
2014065073.tif 000005